(57)【要約】【課題】美的外観を損なわず、発電量を増やすことができるソーラーセル付電子時計を提供することを目的とする。【解決手段】ソーラーセル付電子時計は、上内側面４０、下内側面４２、上外側面４４及び下外側面４６を含む見返しリング３８と、上内側面４０を覆って表裏いずれの面でも受けた光の一部を反射して一部を透過するハーフミラー層５０と、上外側面４４及び下外側面４６をそれぞれ覆って見返しリング３８の内部に光を封じ込めるフルミラー層５２と、下内側面４２から出射する光を受光するために下内側面４２に対向して配置されたソーラーセル３２と、を有する。見返しリング３８に入射した光の一部は、ハーフミラー層５０に反射して見返しリング３８の内部に戻る。【選択図】図５
2015137973.tif 000002
【特許請求の範囲】
【請求項１】
文字板と、
前記文字板を内側に収容する光透過性の見返しリングであって、前記文字板の表面を囲むように立ち上がる上内側面と、前記文字板の裏面を囲むように下がる下内側面と、前記上内側面とは反対側にあって法線が前記文字板の側で下がるように傾斜する上外側面と、前記下内側面とは反対側にあって法線が前記文字板の側で上がるように傾斜する下外側面と、を含む見返しリングと、
前記上内側面を覆って、表裏いずれの面でも、受けた光の一部を反射して一部を透過するハーフミラー層と、
前記上外側面及び前記下外側面をそれぞれ覆って、前記見返しリングの内部に光を封じ込めるフルミラー層と、
前記下内側面から出射する光を受光するために、前記下内側面に対向して配置されたソーラーセルと、
を有し、
前記見返しリングに入射した光の一部は、前記ハーフミラー層に反射して前記見返しリングの内部に戻ることを特徴とするソーラーセル付電子時計。
【請求項２】
請求項１に記載されたソーラーセル付電子時計において、
前記見返しリングは、前記上内側面と前記上外側面の間に上端面をさらに有し、
前記ハーフミラー層は、前記上端面をさらに覆うことを特徴とするソーラーセル付電子時計。
【請求項３】
請求項１又は２に記載されたソーラーセル付電子時計において、
前記ハーフミラー層は、光透過性を有した金属薄膜からなることを特徴とするソーラーセル付電子時計。
【請求項４】
請求項１又は２に記載されたソーラーセル付電子時計において、
前記ハーフミラー層は、誘電体多層膜からなることを特徴とするソーラーセル付電子時計。
【発明の詳細な説明】
【技術分野】
【０００１】
本発明は、ソーラーセル付電子時計に関する。
【背景技術】
【０００２】
近年、電子時計には、装飾品としての美的外観が求められることはもとより、クロノグラフ機能や電波受信機能などの消費電力の高い機能が求められている。時計の駆動に必要な電力を太陽電池で発電するソーラーセル付電子時計にも同様の要求がある。ソーラーセル付電子時計は、特許文献１及び２に開示されている。
【先行技術文献】
【特許文献】
【０００３】
【特許文献１】特開２００５−１１４６５０号公報
【特許文献２】特開２００６−３１３１０３号公報
【発明の概要】
【発明が解決しようとする課題】
【０００４】
ソーラーセル付電子時計では、ソーラーセルを光半透過性の文字板の下に重ねて配置すると文字板の美的外観が劣り、高級感を持たせることが困難であった。そこで、特許文献１及び２に開示される例では、ソーラーセルを文字板の周囲に立ち上がるように配置することで文字板の美観を確保しているが、時計の厚みが増してしまうという問題があった。なお、時計を薄くするためにソーラーセルを小さくすると、発電面積が小さくなるため、発電量が低下する。
【０００５】
本発明は、美的外観を損なわず、発電量を増やすことができるソーラーセル付電子時計を提供することを目的とする。
【課題を解決するための手段】
【０００６】
（１）本発明に係るソーラーセル付電子時計は、文字板と、前記文字板を内側に収容する光透過性の見返しリングであって、前記文字板の表面を囲むように立ち上がる上内側面と、前記文字板の裏面を囲むように下がる下内側面と、前記上内側面とは反対側にあって法線が前記文字板の側で下がるように傾斜する上外側面と、前記下内側面とは反対側にあって法線が前記文字板の側で上がるように傾斜する下外側面と、を含む見返しリングと、前記上内側面を覆って、表裏いずれの面でも、受けた光の一部を反射して一部を透過するハーフミラー層と、前記上外側面及び前記下外側面をそれぞれ覆って、前記見返しリングの内部に光を封じ込めるフルミラー層と、前記下内側面から出射する光を受光するために、前記下内側面に対向して配置されたソーラーセルと、を有し、前記見返しリングに入射した光の一部は、前記ハーフミラー層に反射して前記見返しリングの内部に戻ることを特徴とする。本発明によれば、ハーフミラー層で外光を反射するので内部が見えにくくなっており、美的外観を損なわないようになっている。また、上内側面を通って外に出ようとする光をハーフミラー層で内部に戻すので、ソーラーセルに入る光量が増加し、発電量を増やすことができる。
【０００７】
（２）（１）に記載されたソーラーセル付電子時計において、前記見返しリングは、前記上内側面と前記上外側面の間に上端面をさらに有し、前記ハーフミラー層は、前記上端面をさらに覆うことを特徴としてもよい。
【０００８】
（３）（１）又は（２）に記載されたソーラーセル付電子時計において、前記ハーフミラー層は、光透過性を有した金属薄膜からなることを特徴としてもよい。
【０００９】
（４）（１）又は（２）に記載されたソーラーセル付電子時計において、前記ハーフミラー層は、誘電体多層膜からなることを特徴としてもよい。
【図面の簡単な説明】
【００１０】
【図１】本発明の実施形態に係るソーラーセル付き電子時計の正面図である。
【図２】図１に示すソーラーセル付き電子時計のII−II線断面図である。
【図３】ソーラーセルを示す斜視図である。
【図４】見返しリングの一部を示す斜視図である。
【図５】ソーラーセルが受光する光を説明するための図である。
【発明を実施するための形態】
【００１１】
以下、本発明の実施形態について、図面を参照して説明する。
【００１２】
図１は、本発明の実施形態に係るソーラーセル付き電子時計の正面図である。図２は、図１に示すソーラーセル付き電子時計のII−II線断面図である。
【００１３】
ソーラーセル付き電子時計は、時計ケース１０を有する。時計ケース１０には、表側にガラスからなる風防１２が取り付けられ、裏側に金属からなる裏蓋１４が取り付けられている。時計ケース１０の側面には、外部操作部材である巻真１６が通る貫通穴（図示せず）が開口する。
【００１４】
巻真１６は、回転させることによりムーブメント１８に設けられた電気的接点をオン・オフするようになっており、これにより巻真１６の回転操作を検出することができる。もちろん、巻真１６を引き出すことにより輪列と直接接続するようにしてもよい。ムーブメント１８の上側に、時計表示部材として文字板２０及び指針２２が載っている。ムーブメント１８の下側には、ムーブメント１８を駆動させるための回路基板２４が取り付けられている。
【００１５】
ムーブメント１８は、ドーナツ状の中枠２６に嵌め込まれている。ムーブメント１８には、回路基板２４に電気的に接続された接続バネ２８が取り付けられている。回路押さえ板３０によって、回路基板２４が中枠２６に押さえられて保持されている。
【００１６】
図３は、ソーラーセルを示す斜視図である。ソーラーセル付電子時計は、ソーラーセル３２を有する。ソーラーセル３２は、ポリエチレンテレフタラートなどの樹脂からなるフィルム状のベース基板３４と、その上にアモルファスシリコン等の半導体材料を含むように形成された光発電領域３６と、を有する。ベース基板３４は、細長い帯状であり、可とう性を有する。ソーラーセル３２は、一方の面に光を受けて発電を行う光発電領域３６を有する。ソーラーセル３２は、他方の面（光発電領域３６の反対側）の長手方向の両端部に、それぞれ、光発電領域３６で発生する電力を取り出す端子としての電極３２ａを有する。
【００１７】
図２に示すように、ソーラーセル３２と回路基板２４の電極（図示せず）とは、接続バネ２８によって電気的に接続されており、ソーラーセル３２からの発電電力がムーブメント１８に供給されるようになっている。ソーラーセル３２の電極３２ａは、接続バネ２８との接点を持つ。接続バネ２８は、回路基板２４の電極（図示せず）との接点も持つ。ソーラーセル３２は、光発電領域３６が時計の中心と反対を向くように見返しリング３８に沿って組み込まれる。
【００１８】
図４は、見返しリング３８の一部を示す斜視図である。ソーラーセル付電子時計は、見返しリング３８を有する。見返しリング３８は、光透過性の樹脂により成型されている。見返しリング３８も中枠２６に保持されている。見返しリング３８は、文字板２０の外側で中枠２６に組み込まれる。見返しリング３８は、中枠２６、風防１２及び時計ケース１０で保持される。したがって、衝撃によるガタが非常にすくない構造になっている。相対的に、中枠２６は、見返しリング３８、時計ケース１０及び裏蓋１４で保持される。
【００１９】
見返しリング３８は、文字板２０を内側に収容する。見返しリング３８は、文字板２０の表面を囲むように立ち上がる上内側面４０を有する。見返しリング３８は、文字板２０の裏面を囲むように下がる下内側面４２を有する。見返しリング３８は、上内側面４０とは反対側にあって法線Ｎ１が文字板２０の側で下がるように傾斜する上外側面４４を有する。見返しリング３８は、下内側面４２とは反対側にあって法線Ｎ２が文字板２０の側で上がるように傾斜する下外側面４６を有する。見返しリング３８は、上内側面４０と上外側面４４の間に上端面４８を有する。
【００２０】
ソーラーセル付電子時計は、ハーフミラー層５０を有する。ハーフミラー層５０は、表裏いずれの面でも、受けた光の一部を反射して一部を透過する。ハーフミラー層５０は、光透過性を有した金属薄膜からなり、誘電体多層膜を使用してもよい。ハーフミラー層５０は、見返しリング３８の上内側面４０を覆い、上端面４８も覆う。
【００２１】
ソーラーセル付電子時計は、フルミラー層５２を有する。フルミラー層５２は、見返しリング３８へ入射した光をソーラーセル３２へ導く。フルミラー層５２は、たとえば光透過性を有していない金属薄膜からなる。フルミラー層５２は、上外側面４４及び下外側面４６をそれぞれ覆う。
【００２２】
図２に示すように、見返しリング３８にソーラーセル３２が保持されている。見返しリング３８は、ソーラーセル３２を垂直に保持するための胴を有する。胴は、図４に示すように、ソーラーセル３２の上端側の長辺を保持するための段３８ａと、ソーラーセル３２の両短辺を保持するための段３８ｂとを有する。ソーラーセル３２は、それ自体がもとの状態に戻ろうとする復元力で、見返しリング３８の内側に保持される。見返しリング３８の段３８ｂ，３８ｂの間に、巻真１６を通すための貫通穴３８ｃが設けられているので、ソーラーセル３２に巻真１６を通すための穴を開けずに、ムーブメント１８と巻真１６を接続することができる。変形例として、ソーラーセル３２に穴を開けて巻真１６とムーブメント１８を接続してもよいが、本実施形態では、巻真１６とソーラーセル３２との間に一定の距離を設けることができるので、静電気に強い構造をとることができる。
【００２３】
図４に示すように、ソーラーセル３２は、見返しリング３８の下内側面４２に対向して配置されている。したがって、ソーラーセル３２は、下内側面４２から出射する光を受光することができる。
【００２４】
図５は、ソーラーセル３２が受光する光を説明するための図である。この例では、図２に示す風防１２又は文字板２０の表面に垂直な直線Ｖを基準にすると、上外側面４４の傾斜角θ及び下外側面４６の傾斜角φは、それぞれ、５〜４５°である。
【００２５】
外光Ｌｏがハーフミラー層５０に当たると、一部の光Ｌ１がハーフミラー層５０で反射し、他の光Ｌ２がハーフミラー層５０を透過する。ハーフミラー層５０で外光Ｌｏが反射するので内部が見えにくくなっており、美的外観を損なわないようになっている。ハーフミラー層５０は、見返しリング３８の上内側面４０及び上端面４８を覆っているので、見返しリング３８には、上内側面４０及び上端面４８の少なくとも一方から光Ｌ２が入射する。
【００２６】
見返しリング３８に入射した光Ｌ２は、フルミラー層５２によって、見返しリング３８の内部に封じ込められる。フルミラー層５２は、上外側面４４及び下外側面４６をそれぞれ覆っているので、上外側面４４及び下外側面４６からは外に出られないようになっている。
【００２７】
さらに、見返しリング３８に入射した光Ｌ２の一部は、ハーフミラー層５０に反射して見返しリング３８の内部に戻るようになっている。つまり、光Ｌ２が上内側面４０又は上端面４８に向かうとき、一部の光Ｌ３はハーフミラー層５０を透過して外に出るが、他の光Ｌ４はハーフミラー層５０で反射して、見返しリング３８の内部に戻るようになっている。本実施形態によれば、上内側面４０及び上端面４８の少なくとも一方を通って外に出ようとする光をハーフミラー層５０で内部に戻すので、ソーラーセル３２に入る光量が増加し、発電量を増やすことができる。
【００２８】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００２９】
１０  時計ケース、１２  風防、１４  裏蓋、１６  巻真、１８  ムーブメント、２０  文字板、２２  指針、２４  回路基板、２６  中枠、２８  接続バネ、３０  回路押さえ板、３２  ソーラーセル、３２ａ  電極、３４  ベース基板、３６  光発電領域、３８  見返しリング、３８ａ  段、３８ｂ  段、３８ｃ  貫通穴、４０  上内側面、４２  下内側面、４４  上外側面、４６  下外側面、４８  上端面、５０  ハーフミラー層、５２  フルミラー層。
【図１】
2015137973.tif 000003
【図２】
2015137973.tif 000004
【図３】
2015137973.tif 000005
【図４】
2015137973.tif 000006
【図５】
2015137973.tif 000007